(57)【要約】【課題】ランプ収容室の開口を開閉する開閉蓋の取り付け、取り外し作業を簡単に行えるリアプロジェクションテレビジョン装置を提供する。【解決手段】指によってスライド操作用片部４３をスライド部材用付勢部材４６の付勢力に抗して第１の位置から第２の位置にスライドさせ（図８（Ｂ）参照）、その状態を維持したままで、他の指によって操作片部３００４を係止爪用付勢部材４０の付勢力に抗して下方に変位させ、係止爪３８をロック位置からロック解除位置に変位させ（図８（Ｃ）参照）、開閉蓋３０の上縁を外方に動かして開口２８を開放する。そして、開閉蓋３０の係止片３４を開口２８の係止溝１２０１から外して開閉蓋３０を開口２８から取り外す。【選択図】図８
2008113188.tif 000002
【特許請求の範囲】
【請求項１】
外装を構成する筐体と、前記筐体に設けられたランプ収容室と、前記ランプ収容室の開口を開閉する開閉蓋と、前記開閉蓋で前記開口を閉塞した閉塞状態に保持するロック機構とを備えたリアプロジェクションテレビジョン装置であって、
前記ロック機構は、
前記開閉蓋に設けられ、前記閉塞状態で前記筐体に係止し前記閉塞状態を保持するロック位置と、前記筐体から外れ前記閉塞状態の保持を解除するロック解除位置との間で移動可能で指により前記ロック位置から前記ロック解除位置への移動が操作可能な係止爪と、
前記係止爪を前記ロック解除位置から前記ロック位置方向に向けて付勢する係止爪用付勢部材と、
前記係止爪の移動方向と交差する方向における第１の位置と第２の位置との間で移動可能に前記開閉蓋に設けられ前記ロック位置に位置する前記係止爪に当接可能で前記係止爪に当接することで前記係止爪の前記ロック位置から前記ロック解除位置への移動を阻止するスライド部材と、
前記スライド部材を前記第２の位置から前記第１の位置方向に向けて付勢するスライド部材用付勢部材とを備え、
前記スライド部材が前記第１の位置に位置した状態で、前記スライド部材が前記ロック位置に位置する前記係止爪に当接し、
前記スライド部材が前記第２の位置に位置した状態で、前記スライド部材が前記係止爪から外れ前記係止爪の前記ロック位置から前記ロック解除位置への移動を許容する、
ことを特徴とするリアプロジェクションテレビジョン装置。
【請求項２】
前記開閉蓋は合成樹脂製であり、
前記開閉蓋は前記閉塞状態で前記ランプ収容室に臨む裏面と外部に臨む表面とを有し、
前記開閉蓋の裏面からこの開閉蓋と一体に弾性変形可能な湾曲片部が突設され、
前記係止爪は前記湾曲片部の先端にこの湾曲片部と一体に設けられ、
前記係止爪の前記ロック位置と前記ロック解除位置との間での移動は、前記湾曲片部が弾性変形することで行なわれ、
前記係止爪用付勢部材は、前記湾曲片部により構成されている、
ことを特徴とする請求項１記載のリアプロジェクションテレビジョン装置。
【請求項３】
前記開閉蓋は合成樹脂製であり、
前記開閉蓋は前記閉塞状態で前記ランプ収容室に臨む裏面と外部に臨む表面とを有し、
前記開閉蓋の縁寄りの箇所に欠部が設けられ、
前記欠部は、底辺と、この底辺の両側から前記縁に向かって延在する側辺とにより前記縁に向けて開放状に形成され、
前記開閉蓋の裏面で前記底辺の箇所からこの開閉蓋と一体に弾性変形可能な湾曲片部が突設され、
前記係止爪は前記湾曲片部の先端にこの湾曲片部と一体に設けられ、
前記係止爪は前記欠部内に位置し、
前記係止爪の前記ロック位置と前記ロック解除位置との間での移動は、前記湾曲片部が弾性変形することで行なわれ、
前記係止爪用付勢部材は、前記湾曲片部により構成されている、
ことを特徴とする請求項１記載のリアプロジェクションテレビジョン装置。
【請求項４】
前記開閉蓋は合成樹脂製であり、
前記開閉蓋は前記閉塞状態で前記ランプ収容室に臨む裏面と外部に臨む表面とを有し、
前記開閉蓋の縁寄りの箇所に欠部が設けられ、
前記欠部は、底辺と、この底辺の両側から前記縁に向かって延在する側辺とにより前記縁に向けて開放状に形成され、
前記開閉蓋の裏面で前記底辺の箇所からこの開閉蓋と一体に弾性変形可能な湾曲片部が突設され、
前記係止爪は前記湾曲片部の先端にこの湾曲片部と一体に設けられ、
前記係止爪は、指により前記ロック位置から前記ロック解除位置への移動が操作される操作片部と、前記操作片部から突設され前記閉塞状態で前記筐体に係止する爪部とを有し、
前記係止爪は前記欠部内に位置し、
前記係止爪の前記ロック位置と前記ロック解除位置との間での移動は、前記湾曲片部が弾性変形することで行なわれ、
前記係止爪用付勢部材は、前記湾曲片部により構成されている、
ことを特徴とする請求項１記載のリアプロジェクションテレビジョン装置。
【請求項５】
前記スライド部材は合成樹脂製であり、
前記開閉蓋は前記閉塞状態で前記ランプ収容室に臨む裏面と外部に臨む表面とを有し、
前記スライド部材は、前記第１の位置と前記第２の位置との間で移動可能に前記開閉蓋に組み込まれ、
前記スライド部材は、前記開閉蓋に組み込まれた状態で外部に臨む表面と前記開閉蓋に臨む裏面とを有し、
前記スライド部材の前記裏面からこのスライド部材と一体に弾性変形可能なばね片部が突設され、
前記開閉蓋の裏面に、前記ばね片部に係止し、前記スライド部材が前記第１の位置に位置した状態よりも前記第２の位置に位置した状態で前記ばね片部をより大きく弾性変形させる係止壁が設けられ、
前記スライド部材用付勢部材は前記ばね片部により構成されている、
ことを特徴とする請求項１記載のリアプロジェクションテレビジョン装置。
【請求項６】
前記スライド部材は、前記係止爪の移動方向と交差する方向で第１の位置と第２の位置との間で移動可能に前記開閉蓋に組み込まれたスライド操作用片部と、前記スライド操作用片部から前記係止爪に向けて突設され前記ロック位置に位置する前記係止爪に当接可能な係止凸部とを備え、
前記係止爪に当接して前記係止爪の前記ロック位置から前記ロック解除位置への移動の阻止は前記係止凸部により行なわれ、
前記スライド部材が前記第１の位置に位置した状態で、前記係止凸部が前記ロック位置に位置する前記係止爪に当接し、
前記スライド部材が前記第２の位置に位置した状態で、前記係止凸部が前記係止爪から外れ前記係止爪の前記ロック位置から前記ロック解除位置への移動を許容する、
ことを特徴とする請求項１記載のリアプロジェクションテレビジョン装置。
【請求項７】
前記スライド部材は合成樹脂製であり、
前記開閉蓋は前記閉塞状態で前記ランプ収容室に臨む裏面と外部に臨む表面とを有し、
前記スライド部材は、前記開閉蓋の表面に延在形成された案内凹部に配置されることで前記第１の位置と前記第２の位置との間で移動可能に前記開閉蓋に組み込まれ、
前記スライド部材は、前記開閉蓋に組み込まれた状態で外部に臨む表面と前記開閉蓋に臨む裏面とを有し、
前記スライド部材の前記裏面からこのスライド部材と一体に弾性変形可能なばね片部が突設され、
前記ばね片部は、前記案内凹部の底面の切り欠きを通って前記開閉蓋の裏面に突出し、
前記開閉蓋の裏面に、前記ばね片部に係止し、前記スライド部材が前記第１の位置に位置した状態よりも前記第２の位置に位置した状態で前記ばね片部をより大きく弾性変形させる係止壁が設けられ、
前記スライド部材用付勢部材は前記ばね片部により構成されている、
ことを特徴とする請求項１記載のリアプロジェクションテレビジョン装置。
【請求項８】
前記スライド部材は、前記係止爪の移動方向と交差する方向で第１の位置と第２の位置との間で移動可能に前記開閉蓋に組み込まれたスライド操作用片部と、前記スライド操作用片部から前記係止爪に向けて突設され前記ロック位置に位置する前記係止爪に当接可能な係止凸部とを備え、
前記係止爪に当接して前記係止爪の前記ロック位置から前記ロック解除位置への移動の阻止は前記係止凸部により行なわれ、
前記スライド部材は、前記スライド操作用片部が前記開閉蓋の表面に延在形成された案内凹部に配置されることで前記第１の位置と前記第２の位置との間で移動可能に前記開閉蓋に組み込まれ、
前記スライド部材が前記第１の位置に位置した状態で、前記係止凸部が前記ロック位置に位置する前記係止爪に当接し、
前記スライド部材が前記第２の位置に位置した状態で、前記係止凸部が前記係止爪から外れ前記係止爪の前記ロック位置から前記ロック解除位置への移動を許容する、
ことを特徴とする請求項１記載のリアプロジェクションテレビジョン装置。
【請求項９】
前記スライド部材は、前記係止爪の移動方向と交差する方向で第１の位置と第２の位置との間で移動可能に前記開閉蓋に組み込まれたスライド操作用片部と、前記スライド操作用片部から前記係止爪に向けて突設され前記ロック位置に位置する前記係止爪に当接可能で前記係止爪に当接することで前記係止爪の前記ロック位置から前記ロック解除位置への移動を阻止する係止凸部とを備え、
前記係止爪に当接して前記係止爪の前記ロック位置から前記ロック解除位置への移動の阻止は前記係止凸部により行なわれ、
前記スライド部材は、前記スライド操作用片部が前記開閉蓋の表面に延在形成された案内凹部に配置されることで前記第１の位置と前記第２の位置との間で移動可能に前記開閉蓋に組み込まれ、
前記スライド部材は合成樹脂製であり、
前記スライド部材は、前記開閉蓋に組み込まれた状態で外部に臨む表面と前記開閉蓋に臨む裏面とを有し、
前記開閉蓋は前記閉塞状態で前記ランプ収容室に臨む裏面と外部に臨む表面とを有し、
前記スライド操作用片部の前記裏面からこのスライド操作用片部と一体に弾性変形可能なばね片部が突設され、
前記ばね片部は、前記案内凹部の底面の切り欠きを通って前記開閉蓋の裏面に突出し、
前記開閉蓋の裏面に、前記ばね片部に係止し、前記スライド部材が前記第１の位置に位置した状態よりも前記第２の位置に位置した状態で前記ばね片部をより大きく弾性変形させる係止壁が設けられ、
前記スライド部材用付勢部材は前記ばね片部により構成されている、
ことを特徴とする請求項１記載のリアプロジェクションテレビジョン装置。
【請求項１０】
前記開閉蓋は前記閉塞状態で前記ランプ収容室に臨む裏面と外部に臨む表面とを有し、
前記開閉蓋の縁寄りの箇所に欠部が設けられ、
前記欠部は、底辺と、この底辺の両側から前記縁に向かって延在する側辺とにより前記縁に向けて開放状に形成され、
前記係止爪は前記欠部内に位置し、
前記スライド部材は、前記底片の近傍の箇所で前記開閉蓋の表面に前記底片と平行に延在形成された案内凹部に配置されることで前記第１の位置と前記第２の位置との間で移動可能に前記開閉蓋に組み込まれている、
ことを特徴とする請求項１記載のリアプロジェクションテレビジョン装置。
【請求項１１】
前記ロック機構は、前記開閉蓋の縁部寄りの箇所に設けられ、
前記開口を縁取る前記筐体の箇所に係止溝が形成され、
前記ロック機構が設けられた前記開閉蓋の縁部寄りの箇所に対向する前記開閉蓋の縁部に前記係止溝に係脱する係止片が突設され、
前記開閉蓋は前記開口に対して脱着可能に設けられている、
ことを特徴とする請求項１記載のリアプロジェクションテレビジョン装置。
【請求項１２】
前記開閉蓋は前記筐体に揺動可能に連結され、
前記係止爪と前記スライド部材は、前記揺動の軸心から離れた前記開閉蓋の箇所に設けられている、
ことを特徴とする請求項１記載のリアプロジェクションテレビジョン装置。
【発明の詳細な説明】
【技術分野】
【０００１】
本発明はリアプロジェクションテレビジョン装置に関する。
【背景技術】
【０００２】
ランプから出射された光束から画像投影光束を生成し、この光束を背面投影型スクリーンの背面へ投影して画像を形成するリアプロジェクションテレビジョン装置がある。
この種のリアプロジェクションテレビジョン装置では、鮮明な画像を得るために、ウルトラハイプレッシャーランプなどのような高出力なものが用いられ、ランプは高温になりがちである。
そのため、リアプロジェクションテレビジョン装置では、筐体にランプ収容室を設け、このランプ収容室にランプを収容し、ランプ収容室の開口を開閉蓋で閉塞しており、さらに、開閉蓋が不用意に取り外されないように、開閉蓋で開口を閉塞した閉塞状態に保持するロック機構が設けられている（特許文献１参照）。
【特許文献１】特開平７−６５６０９
【発明の開示】
【発明が解決しようとする課題】
【０００３】
しかしながら、従来のロック機構では、専用の工具を用いなければ、開閉蓋による開口の閉塞状態を解除することができず、ランプの交換などの際の開閉蓋の取り外しに手間がかかる不具合があった。
本発明は、このような事情に鑑みなされたもので、その目的は、ランプ収容室の開口を開閉する開閉蓋の取り付け、取り外し作業を簡単に行えるリアプロジェクションテレビジョン装置を提供することにある。
【課題を解決するための手段】
【０００４】
上記目的を達成するために、本発明は、外装を構成する筐体と、前記筐体に設けられたランプ収容室と、前記ランプ収容室の開口を開閉する開閉蓋と、前記開閉蓋で前記開口を閉塞した閉塞状態に保持するロック機構とを備えたリアプロジェクションテレビジョン装置であって、前記ロック機構は、前記開閉蓋に設けられ、前記閉塞状態で前記筐体に係止し前記閉塞状態を保持するロック位置と、前記筐体から外れ前記閉塞状態の保持を解除するロック解除位置との間で移動可能で指により前記ロック位置から前記ロック解除位置への移動が操作可能な係止爪と、前記係止爪を前記ロック解除位置から前記ロック位置方向に向けて付勢する係止爪用付勢部材と、前記係止爪の移動方向と交差する方向における第１の位置と第２の位置との間で移動可能に前記開閉蓋に設けられ前記ロック位置に位置する前記係止爪に当接可能で前記係止爪に当接することで前記係止爪の前記ロック位置から前記ロック解除位置への移動を阻止するスライド部材と、前記スライド部材を前記第２の位置から前記第１の位置方向に向けて付勢するスライド部材用付勢部材とを備え、前記スライド部材が前記第１の位置に位置した状態で、前記スライド部材が前記ロック位置に位置する前記係止爪に当接し、前記スライド部材が前記第２の位置に位置した状態で、前記スライド部材が前記係止爪から外れ前記係止爪の前記ロック位置から前記ロック解除位置への移動を許容することを特徴とする。
【発明の効果】
【０００５】
本発明によれば、係止爪をロック位置からロック解除位置に移動させる操作と、スライド部材を第１の位置から第２の位置に移動させる操作との２つの操作によって開閉蓋の開閉を行え、したがって、工具を用いることなく開閉蓋の開閉を行え、開閉蓋の取り付け、取り外し作業を簡単に行うことが可能となる。
【発明を実施するための最良の形態】
【０００６】
以下、本発明によるリアプロジェクションテレビジョン装置の実施の形態を図面に基づいて詳細に説明する。
図１、図２は本実施の形態のリアプロジェクションテレビジョン装置の斜視図、図３は同側面図である。
【０００７】
まず、リアプロジェクションテレビジョン装置１０の概略構成について説明する。
図１、図３に示すように、リアプロジェクションテレビジョン装置１０は、外装を構成する筐体１２を備え、この筐体１２に、プロジェクタユニット１４と、反射ミラー１６と、背面投影型のスクリーン１８と、スピーカー２０と、電装部２２（図４参照）などが設けられている。
プロジェクタユニット１４は画像投影光束を出射するものである。
反射ミラー１６は反射面１６Ａを有し、プロジェクタユニット１４の上方かつスクリーン１８の後方に配置され、反射面１６Ａによってプロジェクタユニット１４から出射された画像投影光束をスクリーン１８の背面に向けて反射するものである。
スクリーン１８は、反射ミラー１６によって反射された画像投影光束が背面に投射されることで前面にテレビジョン画像が表示されるものである。
スクリーン１８は、例えば、映像源側に配置されるフレネルレンズと、このフレネルレンズの後段に配置されるレンチキュラースクリーンによって構成される。また、これに加えて外光によるコントラスト劣化の減少、および、レンチキュラースクリーンの保護を目的とする別のスクリーンを設置してもよい。
スピーカー２０は、筐体１２の前面下部の左右両側寄りの箇所に組み込まれ、筐体１２の前面に設けられた開口を介して音声を放音するように設けられている。
【０００８】
図４はプロジェクタユニット１４および電装部２２の構成を示すブロック図である。
プロジェクタユニット１４は、光源部１４Ａ、照明光学部１４Ｂ、分離部１４Ｃ、画像形成部１４Ｄ、投射部１４Ｅなどを含んで構成されている。
光源部１４Ａは、光を出射する光源としてのランプ２４と、該ランプ２４を駆動する電源を含んで構成されている。
ランプ２４としては、白色光を出射するウルトラハイプレッシャーランプなど、従来公知のさまざまなランプが用いられる。
【０００９】
照明光学部１４Ｂは、ランプ２４から出射された白色光を平行光として分離部１４Ｃに導くものである。
照明光学部１４Ｂは、例えば、紫外線や赤外線をカットする光学フィルター、フライアイレンズ、コンデンサレンズなどを含んで構成されている。
分離部１４Ｃは、照明光学部１４Ｂから導かれた光束（白色光）を赤色、緑色、青色の３色の光束に分離するものである。
分離部１４Ｃは、例えば、複数のダイクロイックミラーなどを含んで構成されている。
【００１０】
画像形成部１４Ｄは、３つの画像表示部と、合成部とを含んで構成されている。
前記３つの画像表示部は、後述する電装部２２の映像信号処理部２２Ｂから映像信号が供給されることにより画像情報を表示するものである。
すなわち、３つの画像表示部は、例えば、赤色、緑色、青色の３色の画像情報をそれぞれ表示する３つの透過型の液晶表示装置で構成され、分離部１４Ｃから導かれた各色の光束が各液晶表示装置を透過することにより前記画像情報で変調された光束を出射するように構成されている。
なお、前記画像表示部は透過型の液晶表示装置のほか、反射型の液晶表示装置を用いてもよく、従来公知のさまざまな画像表示装置を用いることができる。また、前記画像表示部は、前記の液晶表示装置を用いたものに限定されず、従来公知の様々な方式のものが採用可能である。
また、前記合成部は、各液晶表示装置から出射された前記変調された光束を合成して１つの画像投影光束を生成し投射部１４Ｅに導くものであり、例えば、クロスダイクロイックプリズムで構成されている。
【００１１】
投射部１４Ｅは、画像形成部１４Ｄから導かれた前記画像投影光束を入射して反射ミラー１６に照射するものである。
投射部１４Ｅは、例えば、前記画像投影光束を入射する入射レンズと、前記入射レンズから出射された前記画像投影光束を反射して進行方向を変換するミラーと、前記ミラーによって導かれた前記画像投影光束を反射ミラー１６に投射する投射レンズなどを含んで構成されている。
【００１２】
電装部２２は、受信部２２Ａ、映像信号処理部２２Ｂ、音声信号処理部２２Ｃ、制御部２２Ｄ、操作部２２Ｅなどを含んで構成されている。
受信部２２Ａは、制御部２２Ｄからの指令に基づいて選局を行い、アンテナから受信したテレビジョン信号を復調して映像信号と音声信号に分離して出力する。
映像信号処理部２２Ｂは、前記映像信号に対して必要な信号処理を行い、赤、緑、青の３色の画像情報を生成し、これら各画像情報に対応する映像信号（駆動信号）を前記３つ画像表示装置にそれぞれ供給する。
音声信号処理部２２Ｃは、前記音声信号に対して必要な信号処理および増幅処理を行なってオーディオ信号を生成しスピーカー２０に供給する。これによりスピーカー２０から音声が発生される。
操作部２２Ｅは、リアプロジェクションテレビジョン装置１０による放送の視聴にまつわる種々の操作や設定を行うためのものであり、例えば、選局スイッチ、音量調整スイッチ、入力切り換えスイッチなどを含んでいる。
【００１３】
制御部２２Ｄは、操作部２２Ｅの操作に基づいて、受信部２２Ａ、映像信号処理部２２Ｂ、音声信号処理部２２Ｃの制御を行う。
また、図示しないが、ＤＶＤプレーヤーやビデオデッキなどの外部装置から供給される映像信号および音声信号を入力するための外部入力端子と、これら外部入力端子に供給された映像信号および音声信号を映像信号処理部２２Ｂおよび音声信号処理部２２Ｃに切り換えて入力する入力切り換え回路が設けられている。
操作部２２Ｅの操作により前記外部入力端子に供給される映像信号および音声信号が前記入力切り換え回路を介して映像信号処理部２２Ｂおよび音声信号処理部２２Ｃに供給されるようになっている。
【００１４】
図５は開閉蓋３０の平面図、図６は開閉蓋３０を背面から見た斜視図、図７は図５のＡＡ線断面図、図８（Ａ）、（Ｂ）、（Ｃ）はロック機構３２の動作説明図である。
図９（Ａ）、（Ｂ）はスライド部材４２の斜視図、図１０（Ａ）はスライド部材４２の平面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図、（Ｆ）は（Ｅ）のＦ矢視図である。
【００１５】
図１乃至図３に示すように、筐体１２の右側面の下部には、ランプ２４を収容するランプ収容室２６が設けられ、ランプ収容室２６の開口２８は開閉蓋３０により開閉され、開閉蓋３０で開口２８を閉塞した閉塞状態に保持するロック機構３２が設けられている。
本実施の形態では、開閉蓋３０は開口２８に対して脱着可能に設けられている。すなわち、ロック機構３２は、図５、図６に示すように、開閉蓋３０の上部の縁部寄りの箇所に設けられ、開口２８の下部を縁取る筐体１２の箇所に係止溝１２０１（図３参照）が形成され、図１、図５、図６に示すように、ロック機構３２が設けられた開閉蓋３０の縁部寄りの箇所に対向する開閉蓋３０の下部の縁部に係止溝１２０１に係脱する係止片３４が突設され、開閉蓋３０により開口２８の開閉時に、係止溝１２０１に係止片３４が係脱される。
本実施の形態では、図１２に示すように、開閉蓋３０の内側に位置するランプ収容室２６の箇所に、第２の開閉蓋３６が設けられており、開閉蓋が二重に設けられている。
開閉蓋３０は、図５、図６に示すように、ランプ収容室２６に臨む裏面３０Ａと外部に臨む表面３０Ｂとを有している。
開閉蓋３０は合成樹脂製であり、本実施の形態では、ＰＳ（ポリスチレン）、ＡＢＳ樹脂、あるいは、ＰＳとＡＢＳ樹脂を混合したものなどが採用可能である。
【００１６】
図５、図６に示すように、ロック機構３２は、係止爪３８と、係止爪用付勢部材４０と、スライド部材４２と、スライド部材用付勢部材４６とを備えている。
係止爪３８は開閉蓋３０に設けられ、図７に示すように前記閉塞状態で筐体１２に係止し（開口２８の上縁の裏面３０Ａに係止し）前記閉塞状態を保持するロック位置と、筐体１２から外れ前記閉塞状態の保持を解除するロック解除位置との間で移動可能で指によりロック位置からロック解除位置への移動が操作可能に形成されている。
本実施の形態では、図５に示すように、開閉蓋３０の上部の縁部寄りの箇所に欠部４８が設けられ、欠部４８は、底辺４８０２と、この底辺４８０２の両側から縁に向かって延在する側辺４８０４とにより開閉蓋３０の上縁に向けて開放状に形成されている。
図７に示すように、開閉蓋３０の裏面３０Ａで底辺４８０２の箇所からこの開閉蓋３０と一体に弾性変形可能な湾曲片部３００２が突設され、係止爪３８は湾曲片部３００２の先端にこの湾曲片部３００２と一体に設けられている。
係止爪３８は、指によりロック位置からロック解除位置への移動が操作される操作片部３００４と、操作片部３００４から突設され前記閉塞状態で筐体１２に係止する爪部３００６とを有している。本実施の形態では、図７に示すように、爪部３００６は、開口２８の上縁の裏面３０Ａに係止し、開閉蓋３０の閉塞状態が確実に保持されるように図られている。
係止爪３８は欠部４８内に位置し、係止爪３８のロック位置とロック解除位置との間での移動は、湾曲片部３００２が弾性変形することで行なわれる。
【００１７】
図７に示すように、係止爪用付勢部材４０は、係止爪３８をロック解除位置からロック位置方向に向けて付勢するもので、本実施の形態では、係止爪用付勢部材４０は湾曲片部３００２により構成されている。
【００１８】
スライド部材４２は、係止爪３８の移動方向と交差する方向で第１の位置（図８（Ａ））と第２の位置（図８（Ｂ）、（Ｃ））との間で移動可能に開閉蓋３０に設けられている。本実施の形態では、係止爪３８は上下方向に揺動し、スライド部材４２は前後方向に直線移動する。
スライド部材４２は合成樹脂製であり、本実施の形態では、弾性に優れ摩擦係数が小さいＰＯＭ（ポリアセタール）などが採用可能である。
スライド部材４２は、図７に示すように、開閉蓋３０に組み込まれた状態で外部に臨む表面４２Ａと開閉蓋３０に臨む裏面４２Ｂとを有している。
スライド部材４２は、係止爪３８の移動方向と交差する方向における第１の位置と第２の位置との間で移動可能に開閉蓋３０に設けられロック位置に位置する係止爪３８に当接可能で係止爪３８に当接することで係止爪３８のロック位置からロック解除位置への移動を阻止するものである。
より詳細には、スライド部材４２は、図８、図９に示すように、係止爪３８の移動方向と交差する方向で第１の位置と第２の位置との間で移動可能に開閉蓋３０に組み込まれたスライド操作用片部４３と、スライド操作用片部４３から係止爪３８に向けて突設されロック位置に位置する係止爪３８に当接可能で係止爪３８に当接することで係止爪３８のロック位置からロック解除位置への移動を阻止する係止凸部４４とを備えている。
スライド部材用付勢部材４６は、スライド部材４２を第２の位置から第１の位置方向に向けて付勢するものである。
本実施の形態では、図７、図８に示すように、スライド部材４２は、開閉蓋３０の表面３０Ｂに延在形成された案内凹部３０１０に配置されることで第１の位置と第２の位置との間で移動可能に開閉蓋３０に組み込まれている。
案内凹部３０１０は、欠部４８の下方の近傍の開閉蓋３０の箇所に、欠部４８の底辺４８０２に平行して延在形成されている。
【００１９】
より詳細には、図９、図１０に示すように、スライド操作用片部４３の表面に、スライド操作し易いように凹凸部４３０２が設けられている。
また、スライド操作用片部４３の裏面４２Ｂが案内凹部３０１０の底面に当接され、裏面４２Ｂから突設された一対の上下の爪４２０２が、図７に示すように、案内凹部３０１０の底面のガイド溝３０１２の上下縁部に直線移動可能に係合している。
係止凸部４４は、第２の位置寄りのスライド操作用片部４３の端部から突設されている。
また、スライド操作用片部４３の裏面４２Ｂからこのスライド部材４２と一体に弾性変形可能なばね片部４２１０が突設されている。
ばね片部４２１０は、図６、図７に示すように、案内凹部３０１０の底面のガイド溝３０１２（切り欠き）を通って開閉蓋３０の裏面３０Ａに突出している。
そして、開閉蓋３０の裏面３０Ａに、図６に示すようにばね片部４２１０に係止し、スライド部材４２が第１の位置に位置した状態よりも第２の位置に位置した状態でばね片部４２１０をより大きく弾性変形させる係止壁３０２０が設けられている。
本実施の形態では、スライド部材用付勢部材４６はばね片部４２１０により構成されている。
【００２０】
図８（Ａ）に示すように、スライド部材４２が第１の位置に位置した状態で、係止凸部４４がロック位置に位置する係止爪３８に当接する。
また、図８（Ｂ）に示すように、スライド部材４２が第２の位置に位置した状態で、係止凸部４４が係止爪３８から外れ係止爪３８のロック位置からロック解除位置への移動を許容する。
図８（Ｃ）は、スライド部材４２が第２の位置に位置し、係止爪３８がロック解除位置に位置した状態を示している。
【００２１】
次に、ランプ２４の交換作業を一例にとって、本実施の形態の開閉蓋３０の取り付け、取り外しについて説明する。
図１１乃至図１６はランプ２４の交換作業の説明図である。
まず、図１１に示すように、指によってスライド操作用片部４３をスライド部材用付勢部材４６の付勢力に抗して第１の位置から第２の位置にスライドさせ（図８（Ｂ）参照）、その状態を維持したままで、他の指によって操作片部３００４を係止爪用付勢部材４０の付勢力に抗して下方に変位させ、係止爪３８をロック位置からロック解除位置に変位させ（図８（Ｃ）参照）、開閉蓋３０の上縁を外方に動かして開口２８を開放する。そして、開閉蓋３０の係止片３４を開口２８の係止溝１２０１から外して開閉蓋３０を開口２８から取り外す。
図１２に示すように、第２の開閉蓋３６のランプ収容室２６への取り付け、取り外しは、第２の開閉蓋３６に設けられたレバー３６Ａを回転することでなされる。したがって、レバー３６Ａを操作してランプ収容室２６から取り外す。
また、図１３に示すように、ランプ２４はランプホルダ２５に保持された状態でランプ収容室２６に収容されている。したがって、ランプ収容室２６からランプホルダ２５を取り出したのち、ランプホルダ２５からランプ２４を取り外し、新しいランプ２４をランプホルダ２５に装着する。
そして、図１４に示すように、ランプホルダ２５をランプ収容室２６に収容し、図１５に示すように、レバー３６Ａを回転することで第２の開閉蓋３６をランプ収容室２６に装着する。
【００２２】
次いで、図１６に示すように、開閉蓋３０の係止片３４を開口２８の係止溝１２０１に係止させ、開閉蓋３０の上縁を開口２８の上縁に近接させる。
その際、指によってスライド操作用片部４３をスライド部材用付勢部材４６の付勢力に抗して第１の位置から第２の位置にスライドさせ（図８（Ｂ）参照）、その状態を維持したままで、他の指によって操作片部３００４を係止爪用付勢部材４０の付勢力に抗してロック位置からロック解除位置に変位させ（図８（Ｃ）参照）、その状態で開閉蓋３０を開口２８に合わせる。
開閉蓋３０によって開口２８が閉塞されたならば、操作片部３００４から指を外す。これにより、係止爪３８が係止爪用付勢部材４０の付勢力によりロック解除位置からロック位置に移動する。
次いで、スライド操作用片部４３から指を外すことで、スライド部材４２がスライド部材用付勢部材４６の付勢力により第２の位置から第１の位置に復帰する。
これにより、開閉蓋３０の閉塞状態が形成される。
【００２３】
以上説明したように本実施の形態によれば、係止爪３８をロック位置からロック解除位置に移動させる操作と、スライド部材４２を第１の位置から第２の位置に移動させる操作との２つの操作によって開閉蓋３０の開閉を行え、したがって、従来の工具を用いて開閉蓋３０を開閉する場合に比べ、開閉蓋３０の取り付け、取り外し作業を簡単に行うことが可能となる。
また、異なる箇所の異なる方向への２つの操作により、開閉蓋３０の開閉を行うので、開閉蓋３０が不用意に開放されることがなく、開閉蓋３０の閉塞状態を確実に保持する上で有利である。
また、本実施の形態では、係止爪用付勢部材４０を係止爪３８に一体に設けたので、係止爪用付勢部材４０を係止爪３８と別に設ける場合に比べて部品点数を削減しコストダウンを図る上で有利となっている。
また、本実施の形態では、スライド部材用付勢部材４６をスライド部材４２に一体に設けたので、スライド部材用付勢部材４６をスライド部材４２と別に設ける場合に比べて部品点数を削減しコストダウンを図る上で有利となっている。
【００２４】
なお、本実施の形態では、開閉蓋３０が筐体１２に脱着可能に設けられている場合について説明したが、本発明は開閉蓋３０が筐体１２に揺動可能に連結されている場合にも無論適用される。
【図面の簡単な説明】
【００２５】
【図１】本実施の形態のリアプロジェクションテレビジョン装置の斜視図である。
【図２】本実施の形態のリアプロジェクションテレビジョン装置の斜視図である。
【図３】本実施の形態のリアプロジェクションテレビジョン装置の側面図である。
【図４】プロジェクタユニット１４および電装部２２の構成を示すブロック図である。
【図５】開閉蓋３０の平面図である。
【図６】開閉蓋３０を背面から見た斜視図である。
【図７】図５のＡＡ線断面図である。
【図８】（Ａ）、（Ｂ）、（Ｃ）はロック機構３２の動作説明図である。
【図９】（Ａ）、（Ｂ）はスライド部材４２の斜視図である。
【図１０】（Ａ）はスライド部材４２の平面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図、（Ｆ）は（Ｅ）のＦ矢視図である。
【図１１】ランプ２４の交換作業の説明図である。
【図１２】ランプ２４の交換作業の説明図である。
【図１３】ランプ２４の交換作業の説明図である。
【図１４】ランプ２４の交換作業の説明図である。
【図１５】ランプ２４の交換作業の説明図である。
【図１６】ランプ２４の交換作業の説明図である。
【符号の説明】
【００２６】
１０……リアプロジェクションテレビジョン装置、１２……筐体、２６……ランプ収容室、２８……開口、３０……開閉蓋、３２……ロック機構、３８……係止爪、４０……係止爪用付勢部材、４２……スライド部材、４６……スライド部材用付勢部材。
【図１】
2008113188.tif 000003
【図２】
2008113188.tif 000004
【図３】
2008113188.tif 000005
【図４】
2008113188.tif 000006
【図５】
2008113188.tif 000007
【図６】
2008113188.tif 000008
【図７】
2008113188.tif 000009
【図８】
2008113188.tif 000010
【図９】
2008113188.tif 000011
【図１０】
2008113188.tif 000012
【図１１】
2008113188.tif 000013
【図１２】
2008113188.tif 000014
【図１３】
2008113188.tif 000015
【図１４】
2008113188.tif 000016
【図１５】
2008113188.tif 000017
【図１６】
2008113188.tif 000018